(57)【要約】【課題】冷却効果の散逸を防ぎ、ピンポイントで高い冷却効果が得られるような霧化送風装置を提供する。【解決手段】霧化送風装置は、気化性を有する液体を貯蔵する第１液体貯蔵部１１と、第１液体貯蔵部１１に設けられ、メッシュ式超音波振動子により、第１液体貯蔵部１１に貯蔵されている液体を霧化した霧状体を、第１液体貯蔵部１１の外部に対して第１の方向において直線状の放出軌道で放出する霧化部１２と、放出軌道と交差するように第２の方向において直線状に風を送出する送風部２３とを備える。このように構成すると、放出軌道により第１の方向において直線状に放出される霧状体が霧散する前に、第２の方向に直線状に送出される風を交差させることにより、密度の高い状態の霧状体を第２の方向に集中させることが可能となるので、気化による冷却効果がピンポイントで得られる。【選択図】  図３
2018048788.tif 000002
【特許請求の範囲】
【請求項１】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して第１の方向において直線状の放出軌道で放出する霧化部と、
前記放出軌道と交差するように第２の方向において直線状に風を送出する送風部とを備える、霧化送風装置。
【請求項２】
前記送出された風が前記放出軌道において前記霧状体と交差する位置と、前記放出軌道における前記霧状体の放出元の位置との間の直線距離が５ｍｍ〜３０ｃｍに設定されている、請求項１記載の霧化送風装置。
【請求項３】
更に、前記直線距離を、５ｍｍ〜３０ｃｍの範囲の一部又は全部の範囲において調整するため、前記霧化部と前記送風部との相対的位置を変更する調整部を備える、請求項２記載の霧化送風装置。
【請求項４】
前記第１液体貯蔵部は、底部及び側壁部を有し、
前記霧化部は、前記第１液体貯蔵部の側壁部に設けられ、
前記送風部は、前記霧化部よりも下方に設けられる、請求項１から請求項３のいずれかに記載の霧化送風装置。
【請求項５】
前記第２の方向は、上方に向かう向きに設定されている、請求項４記載の霧化送風装置。
【請求項６】
更に、前記霧化部と、前記送風部との間に設けられる吸液材を備える、請求項４又は請求項５記載の霧化送風装置。
【請求項７】
更に、脱着可能な第２液体貯蔵部と、
前記第１液体貯蔵部の内部と前記第２液体貯蔵部の内部とを相互に接続するための接続部とを備える、請求項１から請求項６のいずれかに記載の霧化送風装置。
【請求項８】
前記接続部は、濾過フィルターを備える、請求項７記載の霧化送風装置。
【請求項９】
前記接続部は、除菌部材を備える、請求項７又は請求項８記載の霧化送風装置。
【請求項１０】
前記接続部の接続方向は、前記メッシュ式超音波振動子の振動方向とは異なる方向に設定されている、請求項７から請求項９のいずれかに記載の霧化送風装置。
【請求項１１】
更に、前記霧化送風装置を制御するための制御部を備え、
前記制御部は、
前記第２液体貯蔵部の脱着状態を検知する脱着検知手段と、
前記脱着検知手段が、前記第２液体貯蔵部が脱状態であることを検知した場合、前記霧化部の霧化動作に制限を設ける霧化制限手段とを備える、請求項７から請求項１０のいずれかに記載の霧化送風装置。
【請求項１２】
前記第１液体貯蔵部は、密閉可能に構成され、前記メッシュ式超音波振動子の穴径は、１０μｍ以下に設定される、請求項１から請求項６までのいずれかに記載の霧化送風装置。
【請求項１３】
前記第１液体貯蔵部及び前記第２液体貯蔵部は、接続状態において密閉可能に構成され、前記メッシュ式超音波振動子の穴径は、１０μｍ以下に設定される、請求項７から請求項１１までのいずれかに記載の霧化送風装置。
【請求項１４】
前記霧化部は、複数のメッシュ式超音波振動子により、複数の放出口から選択的に前記霧状体を放出可能に構成されている、請求項１から請求項１３のいずれかに記載の霧化送風装置。
【請求項１５】
更に、前記放出軌道における前記霧状体の放出元の位置及び前記風の送出元の位置から、前記送出された風が前記放出軌道において前記霧状体と交差する位置までの少なくとも一部の範囲を覆う形状を有する防風ガイドを備える、請求項１から請求項１４のいずれかに記載の霧化送風装置。
【請求項１６】
液体を貯蔵する液体貯蔵部と、
前記液体貯蔵部に貯蔵されている液体を霧化する霧化部と、
前記霧化部が霧化した液体の密度を高めて得られる霧状体を第１の方向において直線状の放出軌道で放出する放出部と、
前記放出軌道と交差するように第２の方向において直線状に風を送出する送風部とを備える、霧化送風装置。
【請求項１７】
前記送風部は、シロッコファンを含む、請求項１から請求項１６のいずれかに記載の霧化送風装置。
【請求項１８】
液体を貯蔵する液体貯蔵部と、
前記液体貯蔵部に貯蔵されている液体を霧化する霧化部と、
前記霧化部が霧化した液体の密度を高めて得られる霧状体を第１の方向において直線状の放出軌道で放出する放出部と、
風を送出するための送風部と、
前記送風部から送出される風を、前記放出軌道と交差するように第２の方向に導く導風部とを備える、霧化送風装置。
【請求項１９】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して放出する霧化部と、
前記霧化部が霧状体を放出する放出軌道と交差するように直線状に風を送出する送風部とを備える、霧化送風装置。
【発明の詳細な説明】
【技術分野】
【０００１】
この発明は霧化送風装置に関し、特に、液体を霧化した霧状体を放出する霧化部と霧状体に対して風を送出する送風部とを備える霧化送風装置に関するものである。
【背景技術】
【０００２】
従来、扇風機に水を霧状に噴出する装置を加えることによって室内の温度低下させる技術が提案されている。
【０００３】
例えば、特許文献１では、扇風機本体の下部に水と氷を貯槽してポンプでくみ上げ、扇風機ファン前部中央から霧状の水を噴出する装置が提案されている。又、特許文献２でも概ね同様の構成の装置が提案されている。
【先行技術文献】
【特許文献】
【０００４】
【特許文献１】実用新案登録第３１３８２１０号公報
【特許文献２】特開２００３−３２９２７３号公報
【発明の概要】
【発明が解決しようとする課題】
【０００５】
しかしながら、特許文献１及び２において、扇風機で採用されているのは軸流ファンである。軸流ファンによる風は広範囲に拡散する特性があり、特許文献１の技術では、霧状の水は、放出後に蒸発してもすぐに軸流ファンの風の流れにより拡散されてしまい、冷却効果が散逸してしまう傾向があった。
【０００６】
この発明は、上記のような課題を解決するためになされたもので、冷却効果の散逸を防ぎ、ピンポイントで高い冷却効果が得られるような霧化送風装置を提供することを目的とする。
【課題を解決するための手段】
【０００７】
上記の目的を達成するために、請求項１記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して第１の方向において直線状の放出軌道で放出する霧化部と、放出軌道と交差するように第２の方向において直線状に風を送出する送風部とを備えるものである。
【０００８】
このように構成すると、放出軌道により第１の方向において直線状に放出される霧状体が霧散する前に、第２の方向に直線状に送出される風を交差させることにより、密度の高い状態の霧状体を第２の方向に集中させることが可能となる。
【０００９】
請求項２記載の発明は、請求項１記載の発明の構成において、送出された風が放出軌道において霧状体と交差する位置と、放出軌道における霧状体の放出元の位置との間の直線距離が５ｍｍ〜３０ｃｍに設定されているものである。
【００１０】
このように構成すると、霧状体が、空気中に霧散する前に風と霧状体とが合流する。
【００１１】
請求項３記載の発明は、請求項２記載の発明の構成において、更に、直線距離を、５ｍｍ〜３０ｃｍの範囲の一部又は全部の範囲において調整するため、霧化部と送風部との相対的位置を変更する調整部を備えるものである。
【００１２】
このように構成すると、風の方向調整の自由度が広がる。
【００１３】
請求項４記載の発明は、請求項１から請求項３のいずれかに記載の発明の構成において、第１液体貯蔵部は、底部及び側壁部を有し、霧化部は、第１液体貯蔵部の側壁部に設けられ、送風部は、霧化部よりも下方に設けられるものである。
【００１４】
このように構成すると、霧状体の下方から風が当たる位置関係となる。
【００１５】
請求項５記載の発明は、請求項４記載の発明の構成において、第２の方向は、上方に向かう向きに設定されているものである。
【００１６】
このように構成すると、霧化部よりも上方に冷却された空気を送出することができる。
【００１７】
請求項６記載の発明は、請求項４又は請求項５記載の発明の構成において、更に、霧化部と、送風部との間に設けられる吸液材を備えるものである。
【００１８】
このように構成すると、霧化部から下方に液体が垂れるなどしても吸液材により吸収される。
【００１９】
請求項７記載の発明は、請求項１から請求項６のいずれかに記載の発明の構成において、更に、脱着可能な第２液体貯蔵部と、第１液体貯蔵部の内部と第２液体貯蔵部の内部とを相互に接続するための接続部とを備えるものである。
【００２０】
このように構成すると、使用できる液体の量が増加する。
【００２１】
請求項８記載の発明は、請求項７記載の発明の構成において、接続部は、濾過フィルターを備えるものである。
【００２２】
このように構成すると、第２液体貯蔵部から供給される液体を濾過できる。
【００２３】
請求項９記載の発明は、請求項７又は請求項８記載の発明の構成において、接続部は、除菌部材を備えるものである。
【００２４】
このように構成すると、第１液体貯蔵部及び第２液体貯蔵部に貯蔵される液体を除菌できる。
【００２５】
請求項１０記載の発明は、請求項７から請求項９のいずれかに記載の発明の構成において、接続部の接続方向は、メッシュ式超音波振動子の振動方向とは異なる方向に設定されているものである。
【００２６】
このように構成すると、メッシュ式超音波振動子の振動方向に接続方向が重なるのを避けることができる。
【００２７】
請求項１１記載の発明は、請求項７から請求項１０のいずれかに記載の発明の構成において、更に、霧化送風装置を制御するための制御部を備え、制御部は、第２液体貯蔵部の脱着状態を検知する脱着検知手段と、脱着検知手段が、第２液体貯蔵部が脱状態であることを検知した場合、霧化部の霧化動作に制限を設ける霧化制限手段とを備えるものである。
【００２８】
このように構成すると、より長時間の使用が可能な状態でない時に、霧化動作を制限することができる。
【００２９】
請求項１２記載の発明は、請求項１から請求項６までのいずれかに記載の発明の構成において、第１液体貯蔵部は、密閉可能に構成され、メッシュ式超音波振動子の穴径は、１０μｍ以下に設定されるものである。
【００３０】
このように構成すると、霧化部の非動作時において第１液体貯蔵部の内部の気密状態が保たれるためメッシュ式超音波振動子の穴からの水漏れを抑制できる。
【００３１】
請求項１３記載の発明は、請求項７から請求項１１までのいずれかに記載の発明の構成において、第１液体貯蔵部及び第２液体貯蔵部は、接続状態において密閉可能に構成され、メッシュ式超音波振動子の穴径は、１０μｍ以下に設定されるものである。
【００３２】
このように構成すると、霧化部の非動作時において第１液体貯蔵部及び第２液体貯蔵部の気密状態が保たれるためメッシュ式超音波振動子の穴からの水漏れを抑制できる。
【００３３】
請求項１４記載の発明は、請求項１から請求項１３のいずれかに記載の発明の構成において、霧化部は、複数のメッシュ式超音波振動子により、複数の放出口から選択的に霧状体を放出可能に構成されているものである。
【００３４】
このように構成すると、霧状体を放出する放出口の数を変更できる。
【００３５】
請求項１５記載の発明は、請求項１から請求項１４のいずれかに記載の発明の構成において、更に、放出軌道における霧状体の放出元の位置及び風の送出元の位置から、送出された風が放出軌道において霧状体と交差する位置までの少なくとも一部の範囲を覆う形状を有する防風ガイドを備えるものである。
【００３６】
このように構成すると、外気の影響を受けにくくすることができる。
【００３７】
請求項１６記載の発明は、液体を貯蔵する液体貯蔵部と、液体貯蔵部に貯蔵されている液体を霧化する霧化部と、霧化部が霧化した液体の密度を高めて得られる霧状体を第１の方向において直線状の放出軌道で放出する放出部と、放出軌道と交差するように第２の方向において直線状に風を送出する送風部とを備えるものである。
【００３８】
このように構成すると、放出軌道により第１の方向において直線状に放出される高密度の霧状体が霧散する前に、第２の方向に直線状に送出される風を交差させることにより、密度の高い状態のままの霧状体を第２の方向に集中させることが可能となる。
【００３９】
請求項１７記載の発明は、請求項１から請求項１６までのいずれかに記載の発明の構成において、送風部は、シロッコファンを含むものである。
【００４０】
このように構成すると、シロッコファンにより、比較的、静圧が高く直進性が高い風が得られると共に、騒音も抑えられる。
【００４１】
請求項１８記載の発明は、液体を貯蔵する液体貯蔵部と、液体貯蔵部に貯蔵されている液体を霧化する霧化部と、霧化部が霧化した液体の密度を高めて得られる霧状体を第１の方向において直線状の放出軌道で放出する放出部と、風を送出するための送風部と、送風部から送出される風を、放出軌道と交差するように第２の方向に導く導風部とを備えるものである。
【００４２】
このように構成すると、放出軌道により第１の方向において直線状に放出される高密度の霧状体が霧散する前に、第２の方向に送出される風を交差させることにより、密度の高い状態のままの霧状体を第２の方向に集中させることが可能となる。
【００４３】
請求項１９記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して放出する霧化部と、霧化部が霧状体を放出する放出軌道と交差するように直線状に風を送出する送風部とを備えるものである。
【００４４】
このように構成すると、直線状に送出された風が放出軌道により放出された霧状体と合流する。
【発明の効果】
【００４５】
以上説明したように、請求項１記載の発明は、放出軌道により第１の方向において直線状に放出される霧状体が霧散する前に、第２の方向に直線状に送出される風を交差させることにより、密度の高い状態の霧状体を第２の方向に集中させることが可能となるので、気化による冷却効果がピンポイントで得られる。
【００４６】
請求項２記載の発明は、請求項１記載の発明の効果に加えて、霧状体が、空気中に霧散する前に風と霧状体とが合流するので、より確実に冷却効果を高めることができる。
【００４７】
請求項３記載の発明は、請求項２記載の発明の効果に加えて、風の方向調整の自由度が広がるので、冷却効果が高い範囲内で風の方向を調整することができる。
【００４８】
請求項４記載の発明は、請求項１から請求項３のいずれかに記載の発明の効果に加えて、放出される霧状体は、霧状体の下方から風が当たる位置関係となるので、装置を床置きしたような場合にでも冷却効果が拡散しやすい。
【００４９】
請求項５記載の発明は、請求項４記載の発明の効果に加えて、霧化部よりも上方に冷却された空気を送出することができるので、上方への冷却効果が期待できる。
【００５０】
請求項６記載の発明は、請求項４又は請求項５記載の発明の効果に加えて、霧化部から下方に液体が垂れるなどしても吸液材により吸収されるので、液体により湿潤となることを防ぐことができる。
【００５１】
請求項７記載の発明は、請求項１から請求項６のいずれかに記載の発明の効果に加えて、使用できる液体の量が増加するので、より長時間の使用が可能となる。
【００５２】
請求項８記載の発明は、請求項７記載の発明の効果に加えて、第２液体貯蔵部から供給される液体を濾過できるので、衛生面で有利となる。
【００５３】
請求項９記載の発明は、請求項７又は請求項８記載の発明の効果に加えて、第１液体貯蔵部及び第２液体貯蔵部に貯蔵される液体を除菌できるので、衛生面で有利となる。
【００５４】
請求項１０記載の発明は、請求項７から請求項９のいずれかに記載の発明の効果に加えて、メッシュ式超音波振動子の振動方向に接続方向が重なるのを避けることができるので、第２液体貯蔵部から供給される液体の流れがメッシュ式超音波振動子の振動により抑制されることを防ぐことができる。
【００５５】
請求項１１記載の発明は、請求項７から請求項１０のいずれかに記載の発明の効果に加えて、より長時間の使用が可能な状態でない時に、霧化動作を制限することができるので、第２液体貯蔵部がなくても、なるべく長時間稼働できるようになる。
【００５６】
請求項１２記載の発明は、請求項１から請求項６までのいずれかに記載の発明の効果に加えて、霧化部の非動作時において第１液体貯蔵部及び第２液体貯蔵部の気密状態が保たれるので、メッシュ式超音波振動子の穴からの水漏れを抑制できる。
【００５７】
請求項１３記載の発明は、請求項７から請求項１１までのいずれかに記載の発明の効果に加えて、霧化部の非動作時において第１液体貯蔵部及び第２液体貯蔵部の気密状態が保たれるので、メッシュ式超音波振動子の穴からの水漏れを抑制できる。
【００５８】
請求項１４記載の発明は、請求項１から請求項１３のいずれかに記載の発明の効果に加えて、霧状体を放出する放出口の数を変更できるので、冷却強化の強弱を調節することができる。
【００５９】
請求項１５記載の発明は、請求項１から請求項１４のいずれかに記載の発明の効果に加えて、外気の影響を受けにくくすることができるので、装置の使用可能性を高めることができる。
【００６０】
請求項１６記載の発明は、放出軌道により第１の方向において直線状に放出される高密度の霧状体が霧散する前に、第２の方向に直線状に送出される風を交差させることにより、密度の高い状態のままの霧状体を第２の方向に集中させることが可能となるので、気化による高い冷却効果がピンポイントで得られる。
【００６１】
請求項１７記載の発明は、請求項１から請求項１６のいずれかに記載の発明の効果に加えて、シロッコファンにより、比較的、静圧が高く直進性が高い風が得られると共に、騒音も抑えられるので、高い性能の霧化送風装置が得られる。
【００６２】
請求項１８記載の発明は、放出軌道により第１の方向において直線状に放出される高密度の霧状体が霧散する前に、第２の方向に送出される風を交差させることにより、密度の高い状態のままの霧状体を第２の方向に集中させることが可能となるので、気化による高い冷却効果がピンポイントで得られる。
【００６３】
請求項１９記載の発明は、直線状に送出された風が、放出軌道により放出された霧状体と合流するので、気化による冷却効果が得られる。
【図面の簡単な説明】
【００６４】
【図１】この発明の第１の実施の形態による霧化送風装置の外観形状を示した斜視図である。
【図２】図１に示す霧化送風装置の正面図である。
【図３】図２におけるＩＩＩ−ＩＩＩラインの端面図である。
【図４】図１等に示した霧化送風装置の制御基板の機能的構成について示したブロック図である。
【図５】図１等に示した霧化送風装置の霧状体の放出軌道と、風の送風方向との関係を示す図である。
【図６】この発明の第２の実施の形態による霧化送風装置の概略構成図であり、（Ａ）は、霧化送風装置を正面視したときの図であり、（Ｂ）は、（Ａ）において矢印Ｄ１方向視したときの平面図である。
【図７】この発明の第３の実施の形態による霧化送風装置の概略構成図であり、（Ａ）は、霧化送風装置を側面視したときの図であり、（Ｂ）は、（Ａ）において矢印Ｄ２方向視したときの正面図である。
【図８】この発明の第４の実施の形態による霧化送風装置の外観形状を示した斜視図である。
【図９】図８におけるＩＸ−ＩＸラインの端面図であって、図３に対応するものである。
【図１０】図９に示すフィルター部材の構成の詳細を示す図である。
【図１１】この発明の第５の実施の形態による霧化送風装置の構成を示す端面図であって、図３に対応するものである。
【図１２】図１１に示した霧化送風装置の霧状体の放出軌道と、風の送風方向との関係を示す図であって、図５に対応するものである。
【図１３】この発明の第６の実施の形態による霧化送風装置の構成を示す端面図であって、図１１に対応するものである。
【図１４】この発明の第７の実施の形態による霧化送風装置の構成を示す端面図であって、図１３に対応するものである。
【図１５】図１５は、この発明の第８の実施の形態による霧化送風装置の構成を示す端面図であって、図１１に対応するものである。
【図１６】図１５において矢印ＸＶＩ方向視したときの図である。
【図１７】図１６に示した霧化送風装置の制御基板の機能的構成について示したブロック図である。
【図１８】この発明の第９の実施の形態による霧化送風装置の構成を示す側面図である。
【図１９】図１８において矢印ＸＩＸ方向視したときの図である。
【図２０】この発明の第１０の実施の形態による霧化送風装置の構成を示す側面図であって、防風ガイドの収納状態を示す図である。
【図２１】図２０に示す霧化送風装置の防風ガイドの展開状態を示す図である。
【図２２】図２０に示す霧化送風装置の防風ガイドの設置状態を示す図である。
【図２３】この発明の第１１の実施の形態による霧化送風装置の構成を示す側面図であって、支持部材の収納状態を示す図である。
【図２４】図２４は、図２３に示す霧化送風装置の支持部材の展開状態を示す図である。
【図２５】この発明の第１２の実施の形態による霧化送風装置の構成を示す側面図であって、図２３に対応するものである。
【図２６】この発明の第１３の実施の形態による霧化送風装置の構成を示す端面図である。
【図２７】この発明の第１４の実施の形態による霧化送風装置の構成を示す端面図である。
【図２８】この発明の第１５の実施の形態による霧化送風装置の霧状体の放出軌道と、風の送風方向との関係を示す図であって、図５に対応するものである。
【発明を実施するための形態】
【００６５】
図１は、この発明の第１の実施の形態による霧化送風装置の外観形状を示した斜視図であり、図２は、図１に示す霧化送風装置の正面図であり、図３は、図２におけるＩＩＩ−ＩＩＩラインの端面図である。
【００６６】
これらの図を参照して、霧化送風装置１は、霧化した水等の液体の気化熱による冷却効果を活用したものであり、タンクユニット１０とタンクユニット１０の下方に設けられる送風ユニット２０とから構成される。
【００６７】
タンクユニット１０は、水を貯蔵する第１液体貯蔵部１１と、第１液体貯蔵部１１に設けられ、メッシュ式超音波振動子により、第１液体貯蔵部１１に貯蔵されている水を霧化した霧状体を、第１液体貯蔵部１１の外部に対して第１の方向において直線状の放出軌道で放出する霧化部１２とを備える。
【００６８】
第１液体貯蔵部１１は、底面部１１ａと、底面部１１ａの周囲から上方に延びる側壁部１１ｂと、側壁部１１ｂの上方を覆う天面部１１ｃとから構成されており、天面部１１ｃには、水を補給するための給水口が設けられている。給水口は、キャップ１３により封止され、これにより、第１液体貯蔵部１１は、密閉状態となる。尚、霧化部１２では、動作時には放出口から霧状体が放出される構成であるので、ここで「密閉状態」と表現しているのは、第１液体貯蔵部１１において、霧化部１２以外の部分の気密が保たれているという意味である。
【００６９】
霧化部１２は、第１液体貯蔵部の側壁部１１ｂに設けられている。霧化部１２で採用しているメッシュ式超音波振動子は、動作時において、小さな穴が開いた薄い円盤状のメッシュ部材の裏（第１液体貯蔵部側）から圧電振動子により振動を与えることで、メッシュ部材の穴から液体を霧状に噴出させる方式のものである。メッシュ部材の穴径は、１０μｍ以下に設定している。これにより霧状体が大粒化することを抑えられ、気化しやすくなる。又、これと共に、霧化部の非動作時において第１液体貯蔵部の内部の気密状態が保たれる。これにより、メッシュ式超音波振動子の穴からの水漏れを抑制できる。
【００７０】
送風ユニット２０は、吸気口２１と、送風口２２と、吸気口２１から吸気し、送風口２２から、上述の放出軌道と交差するように第２の方向において直線状に風を送出する送風部２３と、霧化部１２及び送風部２３を制御するための制御基板２４とを備える。
【００７１】
送風口２２は、霧化部１２よりの下方に設けられている。従って、送風部２３は、霧化部１２よりも下方に設けられる構成となっている。又、第２の方向は、上方に向かう向きに設定されている。尚、このように構成する効果については後述する。
【００７２】
送風部２３には、シロッコファンを採用しており、これにより、軸流ファン等と比べると、静圧が高く直進性が高い風を送出できる。
【００７３】
制御基板２４は、霧化部１２と送風部２３と配線で接続されている（霧化部１２との接続については作図の都合上、図示を省略している）。
【００７４】
又、送風部２３の送出口２２と、霧化部１２の霧状体の放出元とは、約３ｃｍ離間させている。
【００７５】
続いて、この霧化送風装置における制御について説明する。
【００７６】
図４は、図１等に示した霧化送風装置の制御基板の機能的構成について示したブロック図である。
【００７７】
同図を参照して、制御基板２４は、霧化部１２及び送風部２３に対して、各種の信号を供給することでこれらを制御する制御部５０を備えている。
【００７８】
制御部５０は、霧化部１２に対して制御信号を供給する霧化部制御部５１と、送風部２３に対して制御信号を供給する送風部制御部５２とを備える構成である。
【００７９】
霧化部制御部５１及び送風部制御部５２は、電源スイッチ２５のオン／オフに応じて霧化部１２及び送風部２３に対する制御を行う。
【００８０】
次に、霧化送風装置の動作について説明する。
【００８１】
図５は、図１等に示した霧化送風装置の霧状体の放出軌道と、風の送風方向との関係を示す図である。
【００８２】
同図を参照して、送風部２３により送出された風が、放出軌道Ｒにおいて霧状体と交差する位置Ｐ１と、放出軌道Ｒにおける霧状体の放出元の位置との間の直線距離は、５ｍｍ〜３０ｃｍに設定されている。
【００８３】
霧化部１２が霧状体を、水平方向の第１の方向Ａ１において直線状の放出軌道Ｒで放出する一方で、霧化部１２の下方において送風部２３は、上方に向かう方向である第２の方向Ｂ１に直線状に風を送出する。
【００８４】
すると、送風部２３から送出される風は、やがて位置Ｐ１において放出軌道Ｒと交差する。これにより、第１の方向Ａ１において放出軌道で直線状に放出される霧状体は、霧散する前に、第２の方向Ｂ１に直線状に送出される風と交差する。
【００８５】
霧状体と風が交差する位置Ｐ１において、霧状体は、風が送出される第２の方向Ｂ１へと向かう。このようにして、水平方向Ａ１において位置Ｐ１よりも先の位置では、霧状体は、気化しながら風の進行方向と同じ方向Ａ２に進行する。
【００８６】
従って、水平方向Ａ１において位置Ｐ１よりも先の位置では、霧状体の気化により冷却された風が進行する。
【００８７】
よって、密度の高い状態の霧状体を第２の方向に集中させることが可能となるので、気化による冷却効果がピンポイントで得られる。
【００８８】
特に、上述の直線距離が、５ｍｍ〜３０ｃｍに設定されていることで、霧状体が、空気中に霧散する前に風と霧状体とが合流する上では好ましく、より確実に冷却効果を高めることができる。
【００８９】
又、送風部２３は、霧化部１２よりも下方に設けられているため、霧状体の下方から風が当たる位置関係となる。このため、装置を床置きしたような場合にでも冷却効果が拡散しやすい。又、第２の方向Ｂ１は、上方に向かう向きに設定されているため、霧化部１２よりも上方に冷却された空気を送出することができるので、上方への冷却効果が期待できる。
【００９０】
図６は、この発明の第２の実施の形態による霧化送風装置の概略構成図であり、（Ａ）は、霧化送風装置を正面視したときの図であり、（Ｂ）は、（Ａ）において矢印Ｄ１方向視したときの平面図である。
【００９１】
尚、説明に当たっては、基本的には第１の実施の形態によるものと同一であるため、その相違点を中心に説明する。
【００９２】
同図を参照して、上記の第１の実施の形態では、送風部が、霧化部より下方に設けられる位置関係であったが、第２の実施の形態では、この位置関係を変更している。又、この実施の形態による霧化送風装置１にあっては、第１の実施の形態によるものから、霧化部１２による霧状体の放出方向も変更している。
【００９３】
具体的には、送風部２３の設置レベルを、第１の実施の形態のものから、上方にずらして霧化部１２と同じレベルに設定すると共に、その位置を、霧化部１２の放出位置に直角に風が当たるような位置に変更している。
【００９４】
このように構成すると、霧化部１２から放出された霧状体に対し、直ちに送風部２３から送出される風が当たり、気化が進行する。
【００９５】
図７は、この発明の第３の実施の形態による霧化送風装置の概略構成図であり、（Ａ）は、霧化送風装置を側面視したときの図であり、（Ｂ）は、（Ａ）において矢印Ｄ２方向視したときの正面図である。
【００９６】
尚、説明に当たっては、基本的には第１の実施の形態によるものと同一であるため、その相違点を中心に説明する。
【００９７】
同図を参照して、この実施の形態による霧化送風装置１にあっては、第１の実施の形態によるものから、霧化部１２による霧状体の放出方向を変更している。
【００９８】
具体的には、霧化部１２を底面部に設け、これによって、霧状体の放出方向が鉛直下方になるよう変更している。又、送風部２３の位置を、第１の実施の形態のものから、水平方向にずらして、霧化部１２の放出位置に風が当たるように変更している。これにより、霧化部１２から放出される霧状体に対し、直角に風が当たるように構成している。
【００９９】
このように構成すると、第２の実施の形態の場合と同様、霧化部１２から放出された霧状体に対し、直ちに送風部２３から送出される風が当たり、気化が進行する。
【０１００】
図８は、この発明の第４の実施の形態による霧化送風装置の外観形状を示した斜視図であり、図９は、図８におけるＩＸ−ＩＸラインの端面図であって、図３に対応するものである。
【０１０１】
尚、説明に当たっては、基本的には第１の実施の形態によるものと同一であるため、その相違点を中心に説明する。
【０１０２】
これらの図を参照して、この実施の形態による霧化送風装置１にあっては、第１の実施の形態のものにおいて、第２液体貯蔵部４１を備える予備タンクユニット４０を接続した構成である。
【０１０３】
即ち、霧化送風装置１は、更に、脱着可能な第２液体貯蔵部４１と、第１液体貯蔵部１１の内部と第２液体貯蔵部４１の内部とを相互に接続するための接続部３０とを備える。
【０１０４】
このように、第２液体貯蔵部４１の容量の分、使用できる液体の量が増加するので、より長時間の使用が可能となる。
【０１０５】
接続部３０は、第１液体貯蔵部１１及び第２液体貯蔵部４１の接続状態において機密が保たれるよう密閉可能に構成されている。このような構成によれば、霧化部の非動作時において第１液体貯蔵部及び第２液体貯蔵部の気密状態が保たれるので、メッシュ式超音波振動子の穴からの水漏れを抑制できる。
【０１０６】
又、接続部３０の接続方向は、霧化部１２におけるメッシュ式超音波振動子の振動方向とは異なる方向に設定されている。より具体的には、接続部３０の接続方向と、霧化部１２におけるメッシュ式超音波振動子の振動方向とは略直交する位置関係にある。
【０１０７】
又、接続部３０において、第１液体貯蔵部１１及び第２液体貯蔵部４１の間には、フィルター部材３１が設けられている。
【０１０８】
図１０は、図９に示すフィルター部材の構成の詳細を示す図である。
【０１０９】
同図を参照して、フィルター部材３１は、より詳細には、濾過フィルター３２と濾過フィルター３２と支持部３３を介して接続されている除菌部材３４とを備える。
【０１１０】
除菌部材３４としては、銀が配合され、銀イオンによる除菌効果のある部材等を用いることができる。
【０１１１】
このように構成すると、第２液体貯蔵部から供給される液体を濾過できると共に、第１液体貯蔵部及び第２液体貯蔵部に貯蔵される液体を除菌できるため、衛生面で有利な構成となる。
【０１１２】
又、接続部３０の接続方向と、霧化部１２におけるメッシュ式超音波振動子の振動方向とは略直交する位置関係にあるため、メッシュ式超音波振動子の裏側に発せられる超音波の影響が、フィルター部材３１に直接及ばないようにすることができる。
【０１１３】
図１１は、この発明の第５の実施の形態による霧化送風装置の構成を示す端面図であって、図３に対応するものである。
【０１１４】
尚、説明に当たっては、基本的には第１の実施の形態によるものと同一であるため、その相違点を中心に説明する。
【０１１５】
同図を参照して、この実施の形態による霧化送風装置１にあっては、更に、送風ユニット２０では、送風部２３の送風の仰角を変更するための調整部２５を備えている。
【０１１６】
続いて、調整部２５による仰角の変更について説明する。
【０１１７】
図１２は、図１１に示した霧化送風装置の霧状体の放出軌道と、風の送風方向との関係を示す図であって、図５に対応するものである。
【０１１８】
同図を参照して、調整部２５による仰角変更前の送風部２３の向きを二点鎖線により、調整部２５による仰角変更後の送風部２３の向きを実線により表している。
【０１１９】
霧化部１２による霧状体の放出軌道Ｒは、略水平方向（第１の方向Ａ１１）である。
【０１２０】
仰角変更前、送風部２３は水平よりも上方の方向Ｂ１１に向いており、送風部２３から送出された風は、水平に進行し、位置Ｐ２１で霧状体と合流する。
【０１２１】
調整部２５により送風部の向きを角度θだけ更に上方の方向Ｂ１２に向けると、送風部２３から送出した風は、位置Ｐ２１よりも水平方向において手前の位置Ｐ２２において霧状体と合流する。
【０１２２】
このように、調整部２５により、風の方向調整の自由度が広がるので、冷却効果が高い範囲内で風の方向を調整することができる。
【０１２３】
調整部２５により、送風部２３の仰角を変更することにより、霧状体と風とが合流する位置を調整することができる。例えば、仰角が大きくなるよう調整することによって、霧状体と風とが合流する位置をより装置寄りに設定することができるので、霧状体が、空気中に霧散する前に風と霧状体とを合流させることができるため、より確実に冷却効果を高めることができる。
【０１２４】
図１３は、この発明の第６の実施の形態による霧化送風装置の構成を示す端面図であって、図１１に対応するものである。
【０１２５】
尚、説明に当たっては、基本的には第５の実施の形態によるものと同一であるため、その相違点を中心に説明する。
【０１２６】
同図を参照して、この実施の形態による霧化送風装置１にあっては、第５の実施の形態のものにおいて、調整部２５により、送風部２３の位置を、霧化部１２よりも前方の位置から、霧化部１２よりも後方の位置にかけて位置を調整できるように構成している。
【０１２７】
尚、同図では、前方の位置にあるときの送風部２３を二点鎖線により、後方の位置にあるときの送風部２３を実線により表している。
【０１２８】
送風部２３が前方の位置にあるとき、風の通りを遮るような遮蔽物が少なく、風を効率よく送出することができる。
【０１２９】
送風部２３が後方の位置にあるときは、霧化部１２から仮に水漏れがあり、霧化部１１の下方に水が滴った場合でも、その滴った水も効率よく吹き飛ばすことができる。
【０１３０】
図１４は、この発明の第７の実施の形態による霧化送風装置の構成を示す端面図であって、図１３に対応するものである。
【０１３１】
尚、説明に当たっては、基本的には第６の実施の形態によるものと同一であるため、その相違点を中心に説明する。
【０１３２】
同図を参照して、この実施の形態による霧化送風装置１にあっては、第６の実施の形態のものにおいて、霧化部１２と送風部２３との間に吸液材２６が設けられている。
【０１３３】
吸液材２６は、具体的には、霧化部１２の下方であって、送風部２３及び送風口２２の上方に設けられている。このように構成すると、霧化部１２から下方に液体（水）が垂れるなどしても吸液材２６により吸収されるので、液体により湿潤となることを防ぐことができる。
【０１３４】
図１５は、この発明の第８の実施の形態による霧化送風装置の構成を示す端面図であって、図１１に対応するものであり、図１６は、図１５において矢印ＸＶＩ方向視したときの図であり、図１７は、図１６に示した霧化送風装置の制御基板の機能的構成について示したブロック図である。
【０１３５】
尚、説明に当たっては、基本的には第５の実施の形態によるものと同一であるため、その相違点を中心に説明する。
【０１３６】
これらの図を参照して、この実施の形態による霧化送風装置１にあっては、第５の実施の形態によるものにおいて、第４の実施の形態で説明したように、第２液体貯蔵部４１を備える予備タンクユニット４０を接続すると共に、霧化部１２が複数のメッシュ式超音波振動子により、複数の放出口から選択的に霧状体を放出可能に構成したものである。
【０１３７】
即ち、霧化部１２は、水平方向に横並びに設けられた３つの放出口１２Ａ〜１２Ｃを備える。
【０１３８】
又、制御基板２４において、制御部５０は、更に、第２液体貯蔵部４１の脱着状態を検知する脱着検知部（脱着検知手段）５３と、脱着検知部５３が、第２液体貯蔵部４１が脱状態であることを検知した場合、霧化部１２の霧化動作に制限を設ける霧化制限部５４（霧化制限手段）とを備える構成である。
【０１３９】
霧化制限部５４は、具体的には、第２液体貯蔵部４１が取り外された脱状態であるとき、中央の放出口１２Ｂからのみ霧化動作を行う制御を行うよう霧化部制御部５１に信号を供給する。又、霧化制限部５４は、第２液体貯蔵部４１が装着された着状態であるとき、３つの放出口１２Ａ〜１２Ｃから霧化動作を行う制御を行うよう霧化部制御部５１に信号を供給する。
【０１４０】
このように構成すると、より長時間の使用が可能な状態でない時に、霧化動作を制限することができる。よって、第２液体貯蔵部４１がなくても、なるべく長時間稼働できるようになる。
【０１４１】
又、霧状体を放出する放出口の数を変更できるため、冷却強化の強弱を調節することができる。
【０１４２】
図１８は、この発明の第９の実施の形態による霧化送風装置の構成を示す側面図であり、図１９は、図１８において矢印ＸＩＸ方向視したときの図である。
【０１４３】
尚、説明に当たっては、基本的には第５の実施の形態によるものと同一であるため、その相違点を中心に説明する。
【０１４４】
これらの図を参照して、この実施の形態による霧化送風装置１にあっては、第５の実施の形態において、霧化部１２を、上下２連の放出口１６Ａ、１６Ｂを備える霧化部１６に変更したものである。
【０１４５】
尚、霧化部制御部５１は、スイッチ（不図示）の切り替えに応じて、放出口１６Ａ及び１６Ｂの両方から霧化動作を行うモードと、放出口１６Ａのみからから霧化動作を行うモードとを切り替えられるようになっている。
【０１４６】
このように構成すると、霧状体の放出量を変更することで、冷却力を調整することができる。
【０１４７】
図２０は、この発明の第１０の実施の形態による霧化送風装置の構成を示す側面図であって、防風ガイドの収納状態を示す図であり、図２１は、図２０に示す霧化送風装置の防風ガイドの展開状態を示す図であり、図２２は、図２０に示す霧化送風装置の防風ガイドの設置状態を示す図である。
【０１４８】
尚、説明に当たっては、基本的には第８の実施の形態によるものと同一であるため、その相違点を中心に説明する。
【０１４９】
これらの図を参照して、この実施の形態による霧化送風装置１にあっては、予備タンクユニット４０に、防風ガイド６０を設けたものである。
【０１５０】
防風ガイド６０は、風よけのための板状の部材であり、放出軌道における霧状体の放出元の位置から、送出された風が放出軌道において霧状体と交差する位置までの一部の範囲を覆う形状を有する。又、防風ガイド６０は、予備タンクユニット４０の側面視形状と略同様のサイズに形成されている。又、防風ガイド６０は、予備タンクユニット４０の両側面において１つずつ設けられており、それぞれ軸６０ａを介して予備タンクユニット４０に取り付けられている。又、防風ガイド６０は、軸６０ａを中心に回転させて、各状態に遷移できるように構成されている。
【０１５１】
以下において防風ガイド６０の各状態について具体的に説明すると、まず、図２０に示す防風ガイド６０の収納状態では、防風ガイド６０は、予備タンクユニット４０の側面視形状に一致するような状態で位置合わせされる。
【０１５２】
又、図２１に示す防風ガイド６０の展開状態では、霧化部１２の少なくとも一方の側面を覆うような状態に位置合わせされる。
【０１５３】
このように構成すると、防風ガイド６０により側面方向の風を防ぐことができる。このように、外気の影響を受けにくくすることができるため、装置の使用可能性を高めることができる。
【０１５４】
更に、図２２に示す防風ガイド６０の設置状態では、防風ガイド６０は、防風ガイド６０の先端部分が下方を向くように位置合わせされる。防風ガイド６０は、このような設置状態において、霧化送風装置１を水平面に載置したとき、防風ガイド６０の先端部分が当該水平面に当接して、霧化送風装置１を支持できるような寸法関係に設定されている。このため、防風ガイド６０は、風が無いときでも、霧化送風装置１を水平面に載置する際の支持部材として機能させることができる。
【０１５５】
図２３は、この発明の第１１の実施の形態による霧化送風装置の構成を示す側面図であって、支持部材の収納状態を示す図であり、図２４は、図２３に示す霧化送風装置の支持部材の展開状態を示す図である。
【０１５６】
尚、説明に当たっては、基本的には第８の実施の形態によるものと同一であるため、その相違点を中心に説明する。
【０１５７】
これらの図を参照して、この実施の形態による霧化送風装置１にあっては、予備タンクユニット４０に、スライドレール６２を介して、支持部材６１が取り付けられている。支持部材６１は、スライドレール６２に沿って上下に可動する。
【０１５８】
スライドレール６２は、固定部材６３によって、予備タンクユニット４０に取り付けられている。
【０１５９】
図２３に示すように、支持部材６１は、収納状態においては、スライドレールの上方まで移動させた状態となっている。
【０１６０】
又、図２４に示すように、支持部材６１は、展開状態においては、スライドレールの下端まで移動させた状態で、霧化送風装置１を水平面に載置した際に、当該水平面に当接して霧化送風装置１を支持できるような寸法関係に構成されている。
【０１６１】
これにより、霧化送風装置１を、水平面に安定した状態で載置して使用することができる。
【０１６２】
図２５は、この発明の第１２の実施の形態による霧化送風装置の構成を示す側面図であって、図２３に対応するものである。
【０１６３】
尚、説明に当たっては、基本的には第１１の実施の形態によるものと同一であるため、その相違点を中心に説明する。
【０１６４】
同図を参照して、この実施の形態による霧化送風装置１にあっては、第１０の実施の形態における支持部材６１を、環状のアタッチメント部材６４に変更している。
【０１６５】
アタッチメント部材６４は、組み立て及び分離可能な２つの小片６４ａ、６４ｂからなり、小片６４ａ、６４ｂの組み立て状態において環状形状をなし、この輪の中に自転車のハンドル等の棒状のものを挟み込んで固定できるように構成されている。
【０１６６】
このように構成すると、霧化送風装置１を自転車のハンドル等に対して固定して使用することができる。
【０１６７】
図２６は、この発明の第１３の実施の形態による霧化送風装置の構成を示す端面図である。
【０１６８】
同図を参照して、この実施の形態による霧化送風装置１にあっては、液体を貯蔵する液体貯蔵部７１と、液体貯蔵部７１に貯蔵されている液体を霧化する霧化部７２と、霧化部７２が霧化した液体の密度を高めて得られる霧状体を放出する放出部７３と、放出部７３が霧状体を放出する放出軌道と交差するように直線状に風を送出する送風部７４とを備える構成である。
【０１６９】
液体貯蔵部７１は、底面部７１ａと、底面部７１ａの周囲から上方に延びる側壁部７１ｂとからなり、上方が解放されている構成である。
【０１７０】
霧化部７２は、圧電振動子を含み、液体貯蔵部７１の底面部７１ａ付近に設置され水面Ｌに向けて超音波を発するように構成されている。圧電振動子は、第１の実施の形態の霧化部１２のものとは異なり、メッシュ部材を含まないものである。霧化部７２によって、水面Ｌ表面から生成された霧状体は、上昇して放出部７３に流入する。
【０１７１】
放出部７３は、液体貯蔵部７１の上方に設けられ、上方が先細りとなったテーパー構造のノズル状の部材である。放出部７３の下方から流入した霧状体は、このテーパー構造により圧縮され密度が高められた状態で、放出部７３の放出口７３ａから更に上方に向かう方向（第１の方向）において直線状の放出軌道にて放出される。
【０１７２】
送風部７４には、第１の実施の形態と同様、シロッコファンを採用しており、矢印Ａ３１に示すように、放出部７３の上端に設けられた放出口７３ａの直上の位置に対して第２の方向Ｂ３１において直線状に進む風を送出できるような位置関係で設置されている。
【０１７３】
送風部７４から送出される風の一部は、矢印Ａ３２に示すように、ガイド部７５によって、液体貯蔵部７１の上部に案内され、更に放出部７３に流入する。
【０１７４】
このように構成すると、放出部７３の放出口７３ａから上方に放出された高密度の霧状体に対して、送風部７４から送出される風が第２の方向Ｂ３１に吹き付けられる。これにより、高密度の霧状体は、矢印Ａ３１に示す方向に風と一体となって進行する。
【０１７５】
このように、放出軌道により第１の方向において直線状に放出される高密度の霧状体が霧散する前に、第２の方向に直線状に送出される風を交差させることにより、密度の高い状態のままの霧状体を第２の方向に集中させることが可能となるので、気化による高い冷却効果がピンポイントで得られる。
【０１７６】
図２７は、この発明の第１４の実施の形態による霧化送風装置の構成を示す端面図である。
【０１７７】
尚、説明に当たっては、基本的には第１３の実施の形態によるものと同一であるため、その相違点を中心に説明する。
【０１７８】
同図を参照して、この実施の形態による霧化送風装置１にあっては、第１３の実施の形態における送風部７４を送風部７６に変更すると共に、導風管７７を追加している。
【０１７９】
即ち、霧化送風装置１は、液体を貯蔵する液体貯蔵部７１と、液体貯蔵部７１に貯蔵されている液体を霧化する霧化部７２と、霧化部７２が霧化した液体の密度を高めて得られる霧状体を放出する放出部７３と、風を送出するための送風部７６と、送風部７６から送出される風を、放出部７３が霧状体を放出する放出軌道と交差するように導く導風管７７とを備える。
【０１８０】
送風部７６には、軸流ファンを採用しており、矢印Ａ３１の方向に風を送出するように設置されている。又、送風部７６には、矢印Ａ３１の方向に延びる導風管７７が装着されている。
【０１８１】
これにより、送風部７６から送出される風は、矢印Ｂ３１の方向に風が導かれ、矢印Ｂ３１に対する直進性が高いものとなる。
【０１８２】
一方、送風部７６から送出される風の一部は、導風管７７の途中に設けられた開口７７ａから、ガイド部７５側に流入し、矢印Ａ３２に示すように、ガイド部７５によって、液体貯蔵部７１の上部に案内され、更に放出部７３に流入する。
【０１８３】
このように構成すると、放出部７３の放出口７３ａから上方に放出された高密度の霧状体に対して、送風部７６から送出され、導風管７７によって導かれた風が第２の方向Ｂ３１に吹き付けられる。これにより、高密度の霧状体は、矢印Ａ３１に示す方向に風と一体となって進行する。
【０１８４】
このように、放出軌道により第１の方向において直線状に放出される高密度の霧状体が霧散する前に、第２の方向に送出される風を交差させることにより、密度の高い状態のままの霧状体を第２の方向に集中させることが可能となるので、気化による高い冷却効果がピンポイントで得られる。
【０１８５】
図２８は、この発明の第１５の実施の形態による霧化送風装置の霧状体の放出軌道と、風の送風方向との関係を示す図であって、図５に対応するものである。
【０１８６】
尚、説明に当たっては、基本的には第１の実施の形態によるものと同一であるため、その相違点を中心に説明する。
【０１８７】
同図を参照して、この実施の形態による霧化送風装置１にあっては、霧化部１２における霧状体の送出方向が異なる。
【０１８８】
具体的には、霧化部１２の霧状体の放出方向と、送風部２３の風の送出方向とは平行となるように設定されている。即ち、霧化部１２が霧状体を水平方向Ａ４１に放出する一方で、送風部２３は、同じく水平方向Ｂ４１に風を送出する。
【０１８９】
すると、霧化部１２によって放出された霧状体は、重力によって降下する放出軌道Ｒを描き霧化送風装置１の前方に進行する。
【０１９０】
これに対し送風部２３は、水平方向Ｂ４１に直線状に風を送出しているので、位置Ｐ１において放出軌道Ｒと交差する。即ち、位置Ｐ１において霧状体と風とが合流する。
【０１９１】
よって、霧状体と風が交差する位置Ｐ１において気化が促進される。水平方向Ｂ４１において位置Ｐ１よりも先の位置では、霧状体は、気化しながら風の進行方向と同じ方向Ａ４２に進行する。
【０１９２】
従って、水平方向Ｂ４１において位置Ｐ１よりも先の位置では、霧状体の気化により冷却された風が進行する。
【０１９３】
このような構成によれば、放出される霧状体は、重力によって降下する軌道を描くため、霧化部の下方の送風部から直線状に送出される風と、霧状体が合流しやすくなり、気化による冷却効果が得られる。
【０１９４】
上記構成では、冷却効果の観点からは、送風部２３の送出口２２と、霧化部１２の霧状体の放出元との間の距離は、約３ｃｍ以下に設定することが好ましい。
【０１９５】
尚、上記の各実施の形態では、特定の形状や寸法関係の霧化送風装置について説明したが、これに限られない。例えば、メッシュ部材の穴径は、１０μｍ以下に設定されていたが、１０μｍよりも大きい穴径のものを採用しても構わない。又、送風部により送出された風が、放出軌道において霧状体と交差する位置と、放出軌道における霧状体の放出元の位置との間の直線距離は、任意に設定可能である。
【０１９６】
又、上記の各実施の形態では特に説明しなかったが、霧化送風装置の不使用時において霧化部の放出口を覆うカバーを設けてもよい。
【０１９７】
更に、上記の各実施の形態では、第１液体貯蔵部又は第２液体貯蔵部に、水を貯蔵することを説明したが、これに限られず、気化性を有し、人体に対する安全性が確保できるような液体であれば、任意の液体を貯蔵してもよい。
【０１９８】
更に、上記の第１から第１２の実施の形態では、第１液体貯蔵部又は第２液体貯蔵部が、密閉可能に構成されていたが、これに限られず、いずれかの部分において開放されていても構わない。
【０１９９】
更に、上記の第１から第１３の実施の形態では、送風部は、シロッコファンを含む構成であったが、これに限られない。直線状に風を送出することができるようなものであればどのような羽根車のものを用いてもよい。
【０２００】
更に、上記の第４の実施の形態では、フィルター部材が、濾過フィルター及び抗菌部材を含む構成であったが、これに限られない。濾過フィルター及び抗菌部材のいずれか一方を含む構成であってもよいし、両方を省略することも可能である。尚、濾過フィルター及び抗菌部材を設けない構成であっても、接続部の接続方向が、メッシュ式超音波振動子の振動方向とは異なる方向に設定されていれば、メッシュ式超音波振動子の振動方向に接続方向が重なるのを避けることができる。このため、第２液体貯蔵部から供給される液体の流れがメッシュ式超音波振動子の振動により抑制されることを防ぐことができる。
【０２０１】
更に、上記の第５の実施の形態では、調整部は、送風部の仰角を変更する構成であり、上記の第６の実施の形態では、調整部は、送風部の水平位置を変更する構成であったが、これに限られない。調整部は、放出軌道における霧状体の放出元の位置と間の直線距離を、５ｍｍ〜３０ｃｍの範囲の一部又は全部の範囲において調整するため、霧化部と送風部との相対的位置を変更する構成であればよい。
【０２０２】
更に、上記の第８の実施の形態では、放出口の配列及び数は横並びに３つであったが、これに限られない。例えば、放出口の数は２つでもよいし、３つよりも多くてもよい。
【０２０３】
更に、上記の第４及び第８の実施の形態では、タンクユニットに対して、第２液体貯蔵部を備える予備タンクユニットを接続できるような構成であったが、これに限られない。予備タンクユニットは、更に予備電源を備える構成であってもよく、予備タンクユニットの装着時において霧化部及び送風部に電力を供給可能なように構成されていてもよい。
【０２０４】
更に、上記の第１０の実施の形態では、防風ガイドが、特定の形状を有することを説明したが、これに限られない。防風ガイドは、即ち、風と霧状体とが交差するまでの全範囲をカバーしていてもよい。即ち、防風ガイドは、放出軌道における霧状体の放出元の位置から、風の送出元の位置から送出された風が放出軌道において霧状体と交差する位置までの範囲を覆う形状を有していてもよい。
【０２０５】
更に、上記の第１２の実施の形態では、環状のアタッチメント部材について説明したが、これに限られない。ベルトや紐等により取付対象に取り付けるタイプのものであってもよいし、クリップで取付対象を挟み込んで取り付けるタイプのものであってもよい。又、取付対象は、自転車には限られず、腕、鞄、ベルト、ベビーカー等であってもよく、取付対象に応じて、アタッチメント部材の形状等は適宜変更してもよい。
【０２０６】
更に、上記の第１４の実施の形態では、送風部に軸流ファンを採用していたが、これに限られない。シロッコファンをはじめ、ターボファン等の遠心型のものや、斜流ファン等任意のものを用いることができる。
【符号の説明】
【０２０７】
１…霧化送風装置
１０…タンクユニット
１１…第１液体貯蔵部
１２…霧化部
２０…送風ユニット
２１…吸気口
２２…送風口
２３…送風部
２４…制御基板
２６…吸液材
３０…接続部
３１…フィルター部材
３２…濾過フィルター
３３…支持部
３４…除菌部材
４０…予備タンクユニット
４１…第２液体貯蔵部
５３…脱着検知部
５４…霧化制限部
６０…防風ガイド
７１…液体貯蔵部
７２…霧化部
７３…放出部
７４…送風部
７５…ガイド部
７６…送風部
７７…導風管
尚、各図中同一符号は同一又は相当部分を示す。
【図１】
2018048788.tif 000003
【図２】
2018048788.tif 000004
【図３】
2018048788.tif 000005
【図４】
2018048788.tif 000006
【図５】
2018048788.tif 000007
【図６】
2018048788.tif 000008
【図７】
2018048788.tif 000009
【図８】
2018048788.tif 000010
【図９】
2018048788.tif 000011
【図１０】
2018048788.tif 000012
【図１１】
2018048788.tif 000013
【図１２】
2018048788.tif 000014
【図１３】
2018048788.tif 000015
【図１４】
2018048788.tif 000016
【図１５】
2018048788.tif 000017
【図１６】
2018048788.tif 000018
【図１７】
2018048788.tif 000019
【図１８】
2018048788.tif 000020
【図１９】
2018048788.tif 000021
【図２０】
2018048788.tif 000022
【図２１】
2018048788.tif 000023
【図２２】
2018048788.tif 000024
【図２３】
2018048788.tif 000025
【図２４】
2018048788.tif 000026
【図２５】
2018048788.tif 000027
【図２６】
2018048788.tif 000028
【図２７】
2018048788.tif 000029
【図２８】
2018048788.tif 000030
【手続補正書】
【提出日】平成29年7月28日(2017.7.28)
【手続補正１】
【補正対象書類名】明細書
【補正対象項目名】０００７
【補正方法】変更
【補正の内容】
【０００７】
上記の目的を達成するために、請求項１記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して第１の方向において直線状の放出軌道で放出する霧化部と、放出軌道と交差するように第２の方向において直線状に風を送出する送風部とを備え、第１液体貯蔵部は、底部及び側壁部を有し、霧化部は、第１液体貯蔵部の側壁部において、側壁部の内側から外側へと霧状体を放出するように設けられ、送風部は、霧化部の位置と同じレベル又は霧化部よりも下方に設けられるものである。
【手続補正２】
【補正対象書類名】明細書
【補正対象項目名】０００８
【補正方法】変更
【補正の内容】
【０００８】
このように構成すると、放出軌道により第１の方向において直線状に放出される霧状体が霧散する前に、第２の方向に直線状に送出される風を交差させることにより、密度の高い状態の霧状体を第２の方向に集中させることが可能となる。又、霧状体の下方又は側方から風が当たる位置関係となる。
請求項２記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して第１の方向において直線状の放出軌道で放出する霧化部と、放出軌道と交差するように第２の方向において直線状に風を送出する送風部とを備え、第１液体貯蔵部は、底部及び側壁部を有し、霧化部は、第１液体貯蔵部の底部において、底部の内側から外側へと霧状体を放出するように設けられ、送風部は、霧化部よりも下方に設けられるものである。
このように構成すると、放出軌道により第１の方向において直線状に放出される霧状体が霧散する前に、第２の方向に直線状に送出される風を交差させることにより、密度の高い状態の霧状体を第２の方向に集中させることが可能となる。又、霧状体の側方から風が当たる位置関係となる。
【手続補正３】
【補正対象書類名】明細書
【補正対象項目名】０００９
【補正方法】変更
【補正の内容】
【０００９】
請求項３記載の発明は、請求項１又は請求項２記載の発明の構成において、送出された風が放出軌道において霧状体と交差する位置と、放出軌道における霧状体の放出元の位置との間の直線距離が５ｍｍ〜３０ｃｍに設定されているものである。
【手続補正４】
【補正対象書類名】明細書
【補正対象項目名】００１１
【補正方法】変更
【補正の内容】
【００１１】
請求項４記載の発明は、請求項３記載の発明の構成において、更に、直線距離を、５ｍｍ〜３０ｃｍの範囲の一部又は全部の範囲において調整するため、霧化部と送風部との相対的位置を変更する調整部を備えるものである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項５記載の発明は、請求項１記載の発明の構成において、送風部は、霧化部よりも下方に設けられ、第２の方向は、上方に向かう向きに設定されているものである。
【手続補正８】
【補正対象書類名】明細書
【補正対象項目名】００１７
【補正方法】変更
【補正の内容】
【００１７】
請求項６記載の発明は、請求項１記載の発明の構成において、送風部は、霧化部よりも下方に設けられ、更に、霧化部と、送風部との間に設けられる吸液材を備えるものである。
【手続補正９】
【補正対象書類名】明細書
【補正対象項目名】００１９
【補正方法】変更
【補正の内容】
【００１９】
請求項７記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して第１の方向において直線状の放出軌道で放出する霧化部と、放出軌道と交差するように第２の方向において直線状に風を送出する送風部とを備え、更に、脱着可能な第２液体貯蔵部と、第１液体貯蔵部の内部と第２液体貯蔵部の内部とを相互に接続するための接続部とを備えるものである。
【手続補正１０】
【補正対象書類名】明細書
【補正対象項目名】００２０
【補正方法】変更
【補正の内容】
【００２０】
このように構成すると、放出軌道により第１の方向において直線状に放出される霧状体が霧散する前に、第２の方向に直線状に送出される風を交差させることにより、密度の高い状態の霧状体を第２の方向に集中させることが可能となる。又、使用できる液体の量が増加する。
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】変更
【補正の内容】
【００３９】
請求項１６記載の発明は、請求項１から請求項１５のいずれかに記載の発明の構成において、送風部は、シロッコファンを含むものである。
【手続補正１４】
【補正対象書類名】明細書
【補正対象項目名】００４１
【補正方法】削除
【補正の内容】
【手続補正１５】
【補正対象書類名】明細書
【補正対象項目名】００４２
【補正方法】削除
【補正の内容】
【手続補正１６】
【補正対象書類名】明細書
【補正対象項目名】００４３
【補正方法】変更
【補正の内容】
【００４３】
請求項１７記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して放出する霧化部と、霧化部が霧状体を放出する放出軌道と交差するように直線状に風を送出する送風部とを備え、第１液体貯蔵部は、底部及び側壁部を有し、霧化部は、第１液体貯蔵部の側壁部において、側壁部の内側から外側へと霧状体を放出するように設けられ、送風部は、霧化部の位置と同じレベル又は霧化部よりも下方に設けられるものである。
【手続補正１７】
【補正対象書類名】明細書
【補正対象項目名】００４４
【補正方法】変更
【補正の内容】
【００４４】
このように構成すると、直線状に送出された風が放出軌道により放出された霧状体と合流する。又、霧状体の下方又は側方から風が当たる位置関係となる。
【手続補正１８】
【補正対象書類名】明細書
【補正対象項目名】００４５
【補正方法】変更
【補正の内容】
【００４５】
以上説明したように、請求項１記載の発明は、放出軌道により第１の方向において直線状に放出される霧状体が霧散する前に、第２の方向に直線状に送出される風を交差させることにより、密度の高い状態の霧状体を第２の方向に集中させることが可能となるので、気化による冷却効果がピンポイントで得られる。尚、霧状体の下方から風が当たる位置関係となるとき、放出される霧状体は、装置を床置きしたような場合にでも冷却効果が拡散しやすい。
請求項２記載の発明は、放出軌道により第１の方向において直線状に放出される霧状体が霧散する前に、第２の方向に直線状に送出される風を交差させることにより、密度の高い状態の霧状体を第２の方向に集中させることが可能となるので、気化による冷却効果がピンポイントで得られる。
【手続補正１９】
【補正対象書類名】明細書
【補正対象項目名】００４６
【補正方法】変更
【補正の内容】
【００４６】
請求項３記載の発明は、請求項１又は請求項２記載の発明の効果に加えて、霧状体が、空気中に霧散する前に風と霧状体とが合流するので、より確実に冷却効果を高めることができる。
【手続補正２０】
【補正対象書類名】明細書
【補正対象項目名】００４７
【補正方法】変更
【補正の内容】
【００４７】
請求項４記載の発明は、請求項３記載の発明の効果に加えて、風の方向調整の自由度が広がるので、冷却効果が高い範囲内で風の方向を調整することができる。
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】変更
【補正の内容】
【００４９】
請求項５記載の発明は、請求項１記載の発明の効果に加えて、霧化部よりも上方に冷却された空気を送出することができるので、上方への冷却効果が期待できる。
【手続補正２３】
【補正対象書類名】明細書
【補正対象項目名】００５０
【補正方法】変更
【補正の内容】
【００５０】
請求項６記載の発明は、請求項１記載の発明の効果に加えて、霧化部から下方に液体が垂れるなどしても吸液材により吸収されるので、液体により湿潤となることを防ぐことができる。
【手続補正２４】
【補正対象書類名】明細書
【補正対象項目名】００５１
【補正方法】変更
【補正の内容】
【００５１】
請求項７記載の発明は、放出軌道により第１の方向において直線状に放出される霧状体が霧散する前に、第２の方向に直線状に送出される風を交差させることにより、密度の高い状態の霧状体を第２の方向に集中させることが可能となるので、気化による冷却効果がピンポイントで得られる。又、使用できる液体の量が増加するので、より長時間の使用が可能となる。
【手続補正２５】
【補正対象書類名】明細書
【補正対象項目名】００６０
【補正方法】削除
【補正の内容】
【手続補正２６】
【補正対象書類名】明細書
【補正対象項目名】００６１
【補正方法】変更
【補正の内容】
【００６１】
請求項１６記載の発明は、請求項１から請求項１５のいずれかに記載の発明の効果に加えて、シロッコファンにより、比較的、静圧が高く直進性が高い風が得られると共に、騒音も抑えられるので、高い性能の霧化送風装置が得られる。
【手続補正２７】
【補正対象書類名】明細書
【補正対象項目名】００６２
【補正方法】削除
【補正の内容】
【手続補正２８】
【補正対象書類名】明細書
【補正対象項目名】００６３
【補正方法】変更
【補正の内容】
【００６３】
請求項１７記載の発明は、直線状に送出された風が、放出軌道により放出された霧状体と合流するので、気化による冷却効果が得られる。尚、霧状体の下方から風が当たる位置関係となるとき、放出される霧状体は、装置を床置きしたような場合にでも冷却効果が拡散しやすい。
【手続補正２９】
【補正対象書類名】特許請求の範囲
【補正対象項目名】全文
【補正方法】変更
【補正の内容】
【特許請求の範囲】
【請求項１】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して第１の方向において直線状の放出軌道で放出する霧化部と、
前記放出軌道と交差するように第２の方向において直線状に風を送出する送風部とを備え、
前記第１液体貯蔵部は、底部及び側壁部を有し、
前記霧化部は、前記第１液体貯蔵部の前記側壁部において、前記側壁部の内側から外側へと前記霧状体を放出するように設けられ、
前記送風部は、前記霧化部の位置と同じレベル又は前記霧化部よりも下方に設けられる、霧化送風装置。
【請求項２】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して第１の方向において直線状の放出軌道で放出する霧化部と、
前記放出軌道と交差するように第２の方向において直線状に風を送出する送風部とを備え、
前記第１液体貯蔵部は、底部及び側壁部を有し、
前記霧化部は、前記第１液体貯蔵部の前記底部において、前記底部の内側から外側へと前記霧状体を放出するように設けられ、
前記送風部は、前記霧化部よりも下方に設けられる、霧化送風装置。
【請求項３】
前記送出された風が前記放出軌道において前記霧状体と交差する位置と、前記放出軌道における前記霧状体の放出元の位置との間の直線距離が５ｍｍ〜３０ｃｍに設定されている、請求項１又は請求項２記載の霧化送風装置。
【請求項４】
更に、前記直線距離を、５ｍｍ〜３０ｃｍの範囲の一部又は全部の範囲において調整するため、前記霧化部と前記送風部との相対的位置を変更する調整部を備える、請求項３記載の霧化送風装置。
【請求項５】
前記送風部は、前記霧化部よりも下方に設けられ、
前記第２の方向は、上方に向かう向きに設定されている、請求項１記載の霧化送風装置。
【請求項６】
前記送風部は、前記霧化部よりも下方に設けられ、
更に、前記霧化部と、前記送風部との間に設けられる吸液材を備える、請求項１記載の霧化送風装置。
【請求項７】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して第１の方向において直線状の放出軌道で放出する霧化部と、
前記放出軌道と交差するように第２の方向において直線状に風を送出する送風部とを備え、
更に、脱着可能な第２液体貯蔵部と、
前記第１液体貯蔵部の内部と前記第２液体貯蔵部の内部とを相互に接続するための接続部とを備える、霧化送風装置。
【請求項８】
前記接続部は、濾過フィルターを備える、請求項７記載の霧化送風装置。
【請求項９】
前記接続部は、除菌部材を備える、請求項７又は請求項８記載の霧化送風装置。
【請求項１０】
前記接続部の接続方向は、前記メッシュ式超音波振動子の振動方向とは異なる方向に設定されている、請求項７から請求項９のいずれかに記載の霧化送風装置。
【請求項１１】
更に、前記霧化送風装置を制御するための制御部を備え、
前記制御部は、
前記第２液体貯蔵部の脱着状態を検知する脱着検知手段と、
前記脱着検知手段が、前記第２液体貯蔵部が脱状態であることを検知した場合、前記霧化部の霧化動作に制限を設ける霧化制限手段とを備える、請求項７から請求項１０のいずれかに記載の霧化送風装置。
【請求項１２】
前記第１液体貯蔵部は、密閉可能に構成され、前記メッシュ式超音波振動子の穴径は、１０μｍ以下に設定される、請求項１から請求項６までのいずれかに記載の霧化送風装置。
【請求項１３】
前記第１液体貯蔵部及び前記第２液体貯蔵部は、接続状態において密閉可能に構成され、前記メッシュ式超音波振動子の穴径は、１０μｍ以下に設定される、請求項７から請求項１１までのいずれかに記載の霧化送風装置。
【請求項１４】
前記霧化部は、複数のメッシュ式超音波振動子により、複数の放出口から選択的に前記霧状体を放出可能に構成されている、請求項１から請求項１３のいずれかに記載の霧化送風装置。
【請求項１５】
更に、前記放出軌道における前記霧状体の放出元の位置及び前記風の送出元の位置から、前記送出された風が前記放出軌道において前記霧状体と交差する位置までの少なくとも一部の範囲を覆う形状を有する防風ガイドを備える、請求項１から請求項１４のいずれかに記載の霧化送風装置。
【請求項１６】
前記送風部は、シロッコファンを含む、請求項１から請求項１５のいずれかに記載の霧化送風装置。
【請求項１７】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して放出する霧化部と、
前記霧化部が霧状体を放出する放出軌道と交差するように直線状に風を送出する送風部とを備え、
前記第１液体貯蔵部は、底部及び側壁部を有し、
前記霧化部は、前記第１液体貯蔵部の前記側壁部において、前記側壁部の内側から外側へと前記霧状体を放出するように設けられ、
前記送風部は、前記霧化部の位置と同じレベル又は前記霧化部よりも下方に設けられる、霧化送風装置。